(57)【要約】【課題】シートベルトを装着する際に、的確にタングをシートバック表面から浮かせることができ、且つ装置が大型化せず邪魔にならないシートベルト装着補助装置を提供する。【解決手段】ウェビング１１とタング１３とを有し、未装着時にはタング１３がシートバック２の前面に位置しているシートベルトの装着を補助する、シートベルト装着補助装置である。タング１３は磁性を有する。シートバック２内には電磁コイル２０が内設されている。シートベルト未装着時には、タング１３が電磁コイル２０に臨む位置に位置しており、シートベルト１０を装着する際、電磁コイル２０によってタング１３の磁性に対して斥力が作用することで、タング１３がシートバック２から浮き上がることを特徴とする。【選択図】図３
2010167937.tif 000002
【特許請求の範囲】
【請求項１】
乗員の身体を車両用シートに拘束するシートベルトウェビングと、該シートベルトウェビングに摺動可能に挿通されたタングとを有し、未装着時には前記タングがシートバックの前面に位置しているシートベルトの装着を補助する、シートベルト装着補助装置であって、
前記タングは磁性を有し、
前記シートバック内には、磁力を発生可能な電磁コイルが内設されており、
シートベルト未装着時には、前記タングが前記シートバック内の電磁コイルに臨む位置に位置しており、
シートベルトを装着する際、前記電磁コイルによって前記タングの磁性に対して斥力が作用することで、前記タングがシートバックから浮き上がることを特徴とする、シートベルト装着補助装置。
【請求項２】
請求項１に記載のシートベルト装着補助装置であって、
前記電磁コイルは、内コイルと外コイルとを有する内外二重構造となっており、
前記電磁コイルに通電したとき、前記外コイルからは前記タングに対して斥力が作用し、前記内コイルからは前記タングに対して引力が作用し、
前記外コイルの磁力は前記内コイルの磁力よりも大きいことを特徴とする、シートベルト装着補助装置。
【請求項３】
請求項１または請求項２に記載のシートベルト装着補助装置であって、
乗員が前記車両用シートに着座していないときは、前記電磁コイルには通電されておらず、乗員が前記車両用シートに着座したときに前記電磁コイルに通電され、前記タングをシートクッションの側方に設けられたバックルに装着すると、前記電磁コイルへの通電が遮断されることを特徴とする、シートベルト装着補助装置。
【発明の詳細な説明】
【技術分野】
【０００１】
本発明は、乗員の身体を車両用シートに拘束するシートベルトウェビングと、該シートベルトウェビングに摺動可能に挿通されたタングとを有し、シートベルトの未装着時には、タングがシートバックの前面に位置しているシートベルトの装着を補助する、シートベルト装着補助装置に関する。
【背景技術】
【０００２】
この種のシートベルト装着補助装置として、例えば特許文献１及び特許文献２がある。当該特許文献１や特許文献２のシートベルト装着補助装置は、ウェビングを巻き取るリトラクタがシートバック内に内設され、ウェビングがシートバックの繰出口から繰り出される、いわゆるベルトインシートに適用されている。このようなベルトインシートでは、見栄えや乗降性等の観点から、シートベルトの未装着時にはウェビングをシートバックの前面に沿わせてあるため、タングがシートバックの前面に位置しており、シートバックとタングとの間には殆ど隙間が無い。そのため、シートベルトの装着時にタングを掴み難く、ウェビングを繰出口から繰り出す操作など、装着時の作業性に課題があった。そこで、特許文献１や特許文献２では、シートベルト装着作業性の向上を図っている。
【０００３】
具体的には、特許文献１では、シートバックのウェビング繰出口の下方に設けた収容凹部内に、先端に可動部材を取り付けた蛇腹状をなす伸縮筒を設けている。伸縮筒はエア供給によって伸張可能となっており、伸縮筒が伸長することで可動部材が押し出され、ウェビング及びタングをシートバックから浮かせている。特許文献２では、提供位置と収納位置との間で変位可能な可動アームの前面に、ウェビングが位置している。そして、可動アームを提供位置へ前倒させることでウェビングを押し出して、当該ウェビング及びタングをシートバックから浮かせている。
【先行技術文献】
【特許文献】
【０００４】
【特許文献１】特開２００４−３０６６４２号公報
【特許文献２】特表２００２−５２７２８３号公報
【発明の概要】
【発明が解決しようとする課題】
【０００５】
上記特許文献１や特許文献２では、伸縮筒や可動アームなどの押出部材によってウェビングを押し出している。しかし、押出部材によってウェビングを押し出す際に、ウェビングが押出部材から側方へ滑り落ちて押し出せない場合が生じるおそれがある。これでは、タングをシートバックから的確に浮かせられない。これを避けるため、特許文献１及び特許文献２では伸縮筒の可動部材や可動アームの幅寸法を、ウェビングの幅寸法より大きくしている。しかし、これでは装置が大型化してしまう。また、ウェビングを押し出している状態においては、押出部材がシートバックの前方へ突出した状態となっているので、当該押出部材が邪魔になることもある。
【０００６】
そこで、本発明は上記課題を解決するものであって、シートベルトを装着する際に、的確にタングをシートバックから浮かせることができ、且つ装置が大型化せず邪魔にならないシートベルト装着補助装置を提供することを目的とする。
【課題を解決するための手段】
【０００７】
本発明は、シートベルトの装着を補助するシートベルト装着補助装置に関する。シートベルトは、乗員の身体を車両用シートに拘束するシートベルトウェビングと、該シートベルトウェビングに摺動可能に挿通されたタングとを有する。当該シートベルトは、未装着時には前記タングがシートバックの前面に位置している。ここで、前記タングは磁性を有する。前記シートバック内には、適宜磁力を発生可能な電磁コイルが内設されている。そして、シートベルト未装着時には、前記タングが前記シートバック内の電磁コイルに臨む位置に位置しており、シートベルトを装着する際、前記電磁コイルによって前記タングの磁性に対して斥力が作用することで、前記タングがシートバックから浮き上がることを特徴とする。
【０００８】
前記電磁コイルは、内コイルと外コイルとを有する内外二重構造、すなわち内コイルと外コイルとが巻装された内外二巻構造とすることができる。この場合、前記電磁コイルに通電したとき、前記外コイルからは前記タングに対して斥力が作用し、前記内コイルからは前記タングに対して引力が作用するよう設計することが好ましい。また、前記外コイルの磁力を前記内コイルの磁力よりも大きく設定することが好ましい。
【０００９】
電磁コイルによる磁力の発生タイミングとして、乗員が前記車両用シートに着座していないときは、前記電磁コイルには通電されておらず、乗員が前記車両用シートに着座したときに前記電磁コイルに通電され、前記タングをシートクッションの側方に設けられたバックルに装着すると、前記電磁コイルへの通電が遮断されるよう設定することが好ましい。
【発明の効果】
【００１０】
本発明では、タングに磁性を持たせ、シートバック内に電磁コイルを設けている。そのうえで、シートベルトを装着する際に、電磁コイルの磁力を利用してタングをシートバックから浮き上がらせている。これによれば、タングを押出部材などによって機械的に押出す場合のように、ウェビングが押出部材の側方へ滑り落ちるような不具合を避けられる。したがって、的確にタングをシートバックから浮き上がらせることができる。また、磁力を利用すれば押出部材が不要であり、装置を小型化できる。しかも、電磁コイルは常時シートバック内にあるので、タングを浮かせた状態でも、シートバックとウェビングとの間に邪魔な部材がなく、乗員の姿勢移動の自由度も大きくなる。
【００１１】
電磁コイルからの斥力のみでは、タングが電磁コイルの磁界外へ外れるおそれがある。そこで、電磁コイルを内外二巻構造として、外コイルから斥力を作用させる一方で、内コイルによって引力を作用させていれば、タングを電磁コイルの磁界内へ保持できる。すなわち、内コイルの引力が外コイルの斥力の中にあるので、タングが斥力の外方向へ移動することが防止される。また、シートベルト未装着時に、タングと電磁コイルとの位置関係が若干ズレていたとしても、内コイルの引力によってタングが斥力の中心へ引き寄せられ、位置ズレが補正される。このとき、外コイルの磁力が内コイルの磁力よりも大きければ、確実にタングをシートバックから浮き上がらせることができる。
【００１２】
乗員がシートに着座していないとき、すなわちシートベルト未装着時に電磁コイルに通電しておらず、乗員がシートに着座したときに通電されるようになっていれば、タングを浮かせたいときに限って通電されるので、消費電力を削減できる。一方、タングをバックルに装着すると、再度電磁コイルへの通電が遮断されるようになっていれば、車両運転時に無駄な電力を消費する必要が無く、この点においても消費電力を削減できる。
【図面の簡単な説明】
【００１３】
【図１】車両用シートの斜視図である。
【図２】未装着状態における図１のII−II線断面図である。
【図３】電磁コイルから磁力が発生している状態における図１のII−II線断面図である。
【発明を実施するための形態】
【００１４】
以下に、図面を参照しながら本発明に係るシートベルト装着補助装置の実施の形態について説明するが、これに限定されることはなく、本発明の要旨を逸脱しない範囲において種々の変更が可能である。本発明のシートベルト装着補助装置は、シートベルトを装着する際に、タングを掴み易くするための補助装置である。当該シートベルト装着補助装置は、シートベルトの未装着時には、タングがシートバックの前面に位置するような車両用シートに適用できる。このような車両用シートとしては特に限定されないが、以下にはベルトインシートに適用した例を挙げて説明する。
【００１５】
ベルトインシート１は、自動車などの車両に搭載される車両用シートであって、図１に示すごとく背凭れとなるシートバック２と、着座部となるシートクッション３と、乗員の頭部を支持するヘッドレスト４とを有する。シートベルト１０は、乗員の身体をベルトインシート１に拘束するシートベルトウェビング１１（以下、単にウェビング１１と称す）と、該ウェビング１１に摺動可能に挿通されたタング１３とを有する。シートバック２の内部には、シートベルト１０のウェビング１１の一端が連結されたリトラクタ（図示せず）が内設されており、ウェビング１１がシートバック２の肩部に設けられた繰出口から繰り出されるようになっている。繰出口は、ウェビング１１を案内するスリップジョイント１２に設けられている。ウェビング１１の他端は、シートクッション３の側部に設けられたアンカ（図示せず）に連結されている。また、アンカの反対側のシートクッション３の側部には、タング１３を装着係合するバックル１４が設けられている。タング１３をアンカの反対側にあるバックル１４に装着係合することで、ウェビング１１が乗員の胸部や腰部にかけられた状態となり、乗員を３点で支持できるようになっている。すなわち、ウェビング１１はリトラクタの巻き取り張力によって乗員の胸部や腰部に押し当てられた状態となり、乗員の身体をシートバック２に拘束した状態となる。本発明のベルトインシート１は、ドライバーズシートやナビゲーションシートのほか、２列目シート、３列目シート、及び車両左右方向に３つのシートが並設されている場合のセンターシートなどにも適用可能である。
【００１６】
ウェビング１１は、引張り強さに優れたポリエステル繊維等が帯状に編み込まれており、ウェビング１１にはタング１３が摺動可能に挿通されている。図１及び図２に示されるように、タング１３は、凸形状の金属プレート１３Ａと、金属プレート１３Ａの基部を覆う樹脂カバー１３Ｂとを有する。金属プレート１３Ａの先端部には、バックル１４に差し込まれて係止される貫通状の係止孔を有し、金属プレート１３Ａの基部及び当該部分を覆う樹脂カバー１３Ｂに、ウェビング１１の通し孔となる長孔１３Ｃが貫通形成されている。シートバック２に面するタング１３の裏側には、永久磁石１５が設けられていることで、タング１３が磁性を有する。永久磁石１５は、樹脂カバー１３Ｂに接着したり、樹脂カバー１３Ｂとインサート成形するなどにより接合できる。
【００１７】
ウェビング１１は、リトラクタによって巻き取られる方向に常時付勢されており、車両を停車している場合など、シートベルト１０の未装着時には、ウェビング１１がアンカからスリップジョイント１２にかけてシートバック２の前面に沿う状態で保持されている。このとき、タング１３は、ウェビング１１に設けられた保持手段によって、シートバック２の前面における所定高さ位置で保持されている。したがって、シートベルト１０の未装着時には、タング１３がシートバック２の前面に位置している。ここでの保持手段としては、図２及び図３に示されるように、タング１３の長孔１３Ｃより大きいボタン状のストッパー１６が用いられている。ストッパー１６は、タング１３が後述の電磁コイル２０に臨む位置で保持される高さ位置に設けられている。
【００１８】
シートバック２の内部には、電磁コイル２０が内設されている。電磁コイル２０には、一端が電源に連結された導線（図示せず）が連接されており、これに通電することで適宜磁力を発生する電磁石である。なお、図示していないが、電磁コイル２０は、ブラケットなどの取付部材を介してシートバック２の骨格を成すバックフレーム等に固定されている。電磁コイル２０は、ベルトインシート１に着座した乗員がタング１３を掴み易い高さ位置に固定されている。具体的には、着座した乗員の腹部から肩の間に位置するようになっている。電磁コイル２０は、内コイル２２と外コイル２４とを有する内外二重構造となっている。詳しくは、柱状の内鉄芯２１の周りに内コイル２２が巻装され、さらに内コイル２２を囲むリング状の外鉄芯２３の周りに、内コイル２２とは反対方向へ外コイル２４が巻装された、内外二巻構造となっている。なお、鉄芯２１・２３の断面形状は特に限定されず、円形でも角形でもよい。また、外コイル２４の磁力が内コイル２２の磁力よりも大きくなるように、外コイル２４の巻回数は内コイル２２の巻回数よりも多くされている。
【００１９】
次に、シートベルト１０を装着する際の補助機構について説明する。乗員がベルトインシート１に着座していないときは、電磁コイル２０には通電されていない。したがって、タング１３の永久磁石１５には磁力が作用していないので、図１に示すように、ウェビング１１がリトラクタの引張付勢力によってシートバック２の前面に沿っており、タング１３がシートバック２の前面に位置している。すなわち、図２に示されるように、タング１３とシートバック２の表面（表皮）２Ａとの間にはほとんど隙間が無い。このとき、タング１３は、ウェビング１１に設けられたストッパー１６によって電磁コイル２０に臨む位置、すなわち乗員がタング１３を掴み易い高さ位置にある。なお、図２には永久磁石１５が電磁コイル２０の中心にあるように図示しているが、必ずしもその必要はなく、永久磁石１５及びこれを備えるタング１３は、電磁コイル２０に対して上下又は左右方向へ若干位置ズレしていてもよい。
【００２０】
乗員がベルトインシート１に着座すると、電源から導線を介して電磁コイル２０へ通電される。電磁コイル２０への通電は、シートクッション３の内部又はシートバック２の内部に設けられた荷重センサ（図示せず）によって、乗員がベルトインシート１に着座したことが検知され、当該荷重センサからの検知信号をＥＣＵ（図示せず）が検知した際に、ＥＣＵ制御によって行われる。電磁コイル２０へ通電されると、内コイル２２及び外コイル２４から磁力が発生する。このとき、内コイル２２と外コイル２４とは反対方向へ巻装されていることで、互いに逆の磁力が発生する。具体的には、外コイル２４からはタング１３の永久磁石１５に対して斥力が作用し、内コイル２２からはタング１３の永久磁石１５に対して引力が作用する。このとき、外コイル２４からの磁力が内コイル２２からの磁力よりも大きいことで、図３に示すように、タング１３がシートバック２の表面２Ａから前方へ浮上した状態となる。同時に、内コイル２２の引力によって、タング１３が電磁コイル２０の前方において保持される。すなわち、タング１３が外コイル２４の斥力によって、電磁コイル２０の上下又は左右方向へ外れることが防止される。また、電磁コイル２０へ通電されていない状態において、タング１３と電磁コイル２０とが若干位置ズレしていても、内コイル２２の引力によって永久磁石１５が電磁コイル２０の中心に引き寄せられ、タング１３と電磁コイル２０との位置ズレが補正される。タング１３がシートバック２の表面２Ａから浮上した状態において、タング１３及びウェビング１１の裏返りはリトラクタからの引張力によって防止される。
【００２１】
このように、乗員がベルトインシート１へ着座することでタング１３がシートバック２の表面２Ａから浮上した状態となるので、乗員はタング１３を容易に掴むことができる。そして、そのままタング１３をウェビング１１に対して摺動させながら、バックル１４に係合装着させる。すると、バックル１４に設けられたセンサ（図示せず）によって、電磁コイル２０への通電が遮断される。電磁コイル２０への遮電制御は、ＥＣＵによる電磁コイル２０への通電制御と同様に行われる。運転を終了し、タング１３とバックル１４との係合を解除すると、ウェビング１１がリトラクタによってシートバック２の内部へ巻き取られ、再度図１に示す状態へ戻る。
【００２２】
（その他の変形例）
上記実施例では、本発明のシートベルト装着補助装置をベルトインシートへ適用した例として説明したが、シートベルトの未装着時にはタングがシートバックの前面に位置しているシートであればベルトインシートに限られない。例えば、後部座席のように、リトラクタが車体内部に設けられ、ウェビングが車体側から繰り出されるシートであっても良い。
【００２３】
上記実施例ではタングに永久磁石を設けることで磁性を有していたが、タングの金属プレート自体を磁性材料によって形成してもよい。タングの保持手段としては、ストッパーに限られない。例えば、タングにウェビング挿通用の長孔を２列並設して、当該２つの長孔にウェビングを互い違いに挿通させる二孔タングとしてもよい。
【００２４】
上記実施例とは逆に、内コイルから斥力が発生し、外コイルから引力が発生するようにすることもできる。この場合は、外コイルよりも内コイルの磁性を大きくしておく。但し、タングが電磁コイルの中心からズレて、的確に浮上できないおそれが高まる。
【００２５】
電磁コイル２０は、必ずしも内外二重構造とする必要はない。例えば、電磁コイルの中心にタングに対して引力が作用する永久磁石を設け、当該永久磁石の外側に、斥力を発生させる電磁コイルを設けてもよい。この場合も、電磁コイルの磁力が永久磁石の磁力よりも大きくなるように設計しておく。
【００２６】
また、タングがシートバックから浮上した状態でも、ストッパーなどの保持手段によってタングの高さ位置は保持されるので、シートバック内には、タングに対して引力を作用させる永久磁石やコイルは、必ずしも必要でない。
【符号の説明】
【００２７】
１  ベルトインシート
２  シートバック
３  シートクッション
４  ヘッドレスト
１０  シートベルト
１１  ウェビング
１３  タング
１４  バックル
１５  永久磁石
１６  ストッパー
２０  電磁コイル
２２  内コイル
２４  外コイル
【図１】
2010167937.tif 000003
【図２】
2010167937.tif 000004
【図３】
2010167937.tif 000005